(57)【要約】【課題】サーバや特別なインターフェイス機器を用いずに、様々な端末から遠隔操作できる家庭内機器に対する遠隔制御システムを提供する。【解決手段】操作端末１−１と、家庭４−１内のエアコン５とが、インターネット２を介して接続される。エアコン５の内部には、機器と操作端末との通信及び機器本体１５の制御を行う制御装置１３が置かれる。通信回線として配電線が、インターフェイス機器としてコンセント１４が用いられる。操作端末１−１からエアコン５へ起動、停止、タイマー予約等の処理要求の内容を定義したテキスト形式の要求ファイルを送る。制御装置１３は、受け取った要求ファイルを解析してエアコン５の本体を制御することにより、エアコン５は起動、停止、タイマー予約等の処理を実行する。エアコン５は、処理を実行した後に、操作端末１−１に処理結果を送信する。操作端末１−１とエアコン５との間の通信に公開鍵暗号方式とパスワードを用いる。【選択図】        図１
2004236215.tif 000002
【特許請求の範囲】
【請求項１】
操作端末と家庭内機器とが通信手段を介して接続されて構成され、前記家庭内機器が前記操作端末により遠隔操作される家庭内機器に対する遠隔制御システムであって、
前記家庭内機器は、
該家庭内機器と前記操作端末との通信及び前記家庭内機器本体の制御を行う制御手段、
を有することを特徴とする家庭内機器に対する遠隔制御システム。
【請求項２】
前記制御手段は、
前記家庭内機器の内部に設置された制御装置であることを特徴とする請求項１記載の家庭内機器に対する遠隔制御システム。
【請求項３】
前記家庭内機器は、
エアコンと、テレビと、ビデオと、照明器具と、洗濯機と、風呂と、窓と、から選択される少なくとも１つであることを特徴とする請求項１または２記載の家庭内機器に対する遠隔制御システム。
【請求項４】
前記通信手段は、
インターネットであることを特徴とする請求項１から３のいずれか１項に記載の家庭内機器に対する遠隔制御システム。
【請求項５】
前記インターネットに接続するための通信回線として送電線及び／または配電線を用いることを特徴とする請求項４記載の家庭内機器に対する遠隔制御システム。
【請求項６】
前記インターネットにアクセスするためのインターフェイス機器として、コンセントが用いられることを特徴とする請求項５記載の家庭内機器に対する遠隔制御システム。
【請求項７】
前記家庭内機器に対する処理要求の内容を前記操作端末を用いて定義した要求ファイルが用いられることを特徴とする請求項１から６のいずれか１項に記載の家庭内機器に対する遠隔制御システム。
【請求項８】
前記要求ファイルは、テキスト形式であることを特徴とする請求項７記載の家庭内機器に対する遠隔制御システム。
【請求項９】
前記操作端末と前記家庭内機器との間の通信に公開鍵暗号方式を用いることを特徴とする請求項１から８のいずれか１項に記載の家庭内機器に対する遠隔制御システム。
【請求項１０】
前記操作端末と前記家庭内機器間との通信にパスワードを用いることを特徴とする請求項１から９のいずれか１項に記載の家庭内機器に対する遠隔制御システム。
【請求項１１】
前記処理要求の内容は、
起動と、停止と、タイマー予約と、現状調査と、から選択される少なくとも１つを含むことを特徴とする請求項７から１０のいずれか１項に記載の家庭内機器に対する遠隔制御システム。
【請求項１２】
前記制御装置が、前記要求ファイルを解析し、前記家庭内機器の本体を制御することにより、前記家庭内機器は前記要求ファイルにより要求された処理を実行することを特徴とする請求項７から１１のいずれか１項に記載の家庭内機器に対する遠隔制御システム。
【請求項１３】
前記家庭内機器は、
前記操作端末により要求された処理を実行した後に、前記操作端末に前記処理の結果を送信することを特徴とする請求項１から１２のいずれか１項に記載の家庭内機器に対する遠隔制御システム。
【発明の詳細な説明】
【０００１】
【発明の属する技術分野】
本発明は、家庭内機器に対する遠隔制御システムに関し、特に、ＰＣ、ＰＤＡ、携帯電話、ＰＨＳ等の通信端末等を用いた家庭内機器に対する遠隔制御システムに関する。
【０００２】
【従来の技術】
宅内で使用されるエアコン、テレビ、ビデオ、オーディオ等の家庭内電気機器（以下、家庭内機器という）を電話網を介して遠隔制御する方式は、元来、家庭内機器に局線を引き込み、機器本体の内部に局線回路、プッシュボタン信号受信器を備える構成になっていた。
【０００３】
しかし、家庭内機器それぞれに、独立して局線回路、プッシュボタン信号受信回路等を備えさせると、回路の実装数が増加するので、コストアップにつながる。
【０００４】
そこで、局線に接続する制御装置と宅内の複数の家庭内機器とを宅内の電力供給用のＡＣ配線を介して接続し、制御装置が、家庭内機器を制御するプッシュボタン信号を受信すると、これをスペクトル拡散変調してＡＣ配線を介して家庭内機器に伝達し、家庭内機器が、スペクトル拡散変調された制御信号を復調することにより、家庭内機器を遠隔制御する方式が登場した（特許文献１参照）。
【０００５】
さらに、今日では、インターネットや携帯電話の普及により、ネットワークを介して互いに通信を行う家庭内機器を遠隔操作するネットワーク機器や通信システムが登場した（例えば、特許文献２、３参照）。
【０００６】
【特許文献１】
特開平２−２４４９９９号公報
【特許文献２】
特開２０００−３１２２１５号公報
【特許文献３】
特開２００１−１０３０７８号公報
【０００７】
【発明が解決しようとする課題】
しかし、上記従来のネットワーク機器や通信システムにおいては、家庭内にサーバを置き、それを介して機器を制御していた。よって、上記従来の機器やシステムによると、サーバの追加購入費用、および所定の設定が必要となる。
【０００８】
また、従来のサーバ型のシステムにおいては、電話線を用いてサーバと端末をつなぎ、サーバと家庭内機器とを無線などを利用してつなぐのが通例である。このため、そのためのインターフェイス機器が必要となる。
【０００９】
そこで、本発明の目的は、サーバや特別なインターフェイス機器を用いずに、既存の設備を利用して、様々な端末から遠隔操作できる家庭内機器に対する遠隔制御システムを提供することにある。
【００１０】
すなわち、請求項１から１３記載の発明の目的は、家庭内機器専用の制御装置を利用することにより、サーバを必要とせず余分な設定も不要な家庭内機器に対する遠隔制御システムを提供することにある。
【００１１】
また、請求項５から１３記載の発明の目的は、低圧配電線方式のインターネットを採用し、従来の電話線を用いたサーバ型システムとは異なりインターネットのインターフェイス機器としてコンセントを用いることにより（低圧配電線方式によるインターネットアクセス）、既存の設備を利用して、ユーザに特別な装置を意識させることのない家庭内機器に対する遠隔制御システムを提供することにある。
【００１２】
さらに、請求項８から１３記載の発明の目的は、テキスト形式の要求ファイルを使用することにより、様々な端末から操作ができる（要求ファイルを使用）家庭内機器に対する遠隔制御システムを提供することにある。
【００１３】
【課題を解決するための手段】
上記の目的を達成するために、請求項１記載の発明によれば、家庭内機器に対する遠隔制御システムは、操作端末と家庭内機器とが通信手段を介して接続されて構成され、家庭内機器が操作端末により遠隔操作される家庭内機器に対する遠隔制御システムであって、家庭内機器は、家庭内機器と操作端末との通信及び家庭内機器本体の制御を行う制御手段を有することを特徴とするものである。
【００１４】
請求項２記載の発明によれば、家庭内機器に対する遠隔制御システムは、制御手段は、家庭内機器の内部に設置された制御装置である請求項１記載の家庭内機器に対する遠隔制御システムであることを特徴とするものである。
【００１５】
請求項３記載の発明によれば、家庭内機器に対する遠隔制御システムは、家庭内機器は、エアコンと、テレビと、ビデオと、照明器具と、洗濯機と、風呂と、窓と、から選択される少なくとも１つである請求項１または２記載の家庭内機器に対する遠隔制御システムであることを特徴とするものである。
【００１６】
請求項４記載の発明によれば、家庭内機器に対する遠隔制御システムは、通信手段は、インターネットである請求項１から３のいずれか１項に記載の家庭内機器に対する遠隔制御システムであることを特徴とするものである。
【００１７】
請求項５記載の発明によれば、家庭内機器に対する遠隔制御システムは、インターネットに接続するための通信回線として送電線及び／または配電線を用いる請求項４記載の家庭内機器に対する遠隔制御システムであることを特徴とするものである。
【００１８】
請求項６記載の発明によれば、家庭内機器に対する遠隔制御システムは、インターネットにアクセスするためのインターフェイス機器として、コンセントが用いられる請求項５記載の家庭内機器に対する遠隔制御システムであることを特徴とするものである。
【００１９】
請求項７記載の発明によれば、家庭内機器に対する遠隔制御システムは、家庭内機器に対する処理要求の内容を操作端末を用いて定義した要求ファイルが用いられる請求項１から６のいずれか１項に記載の家庭内機器に対する遠隔制御システムであることを特徴とするものである。
【００２０】
請求項８記載の発明によれば、家庭内機器に対する遠隔制御システムは、要求ファイルは、テキスト形式である請求項７記載の家庭内機器に対する遠隔制御システムであることを特徴とするものである。
【００２１】
請求項９記載の発明によれば、家庭内機器に対する遠隔制御システムは、操作端末と家庭内機器との間の通信に公開鍵暗号方式を用いる請求項１から８のいずれか１項に記載の家庭内機器に対する遠隔制御システムであることを特徴とするものである。
【００２２】
請求項１０記載の発明によれば、家庭内機器に対する遠隔制御システムは、操作端末と家庭内機器間との通信にパスワードを用いる請求項１から９のいずれか１項に記載の家庭内機器に対する遠隔制御システムであることを特徴とするものである。
【００２３】
請求項１１記載の発明によれば、家庭内機器に対する遠隔制御システムは、処理要求の内容は、起動と、停止と、タイマー予約と、現状調査と、から選択される少なくとも１つを含む請求項７から１０のいずれか１項に記載の家庭内機器に対する遠隔制御システムであることを特徴とするものである。
【００２４】
請求項１２記載の発明によれば、家庭内機器に対する遠隔制御システムは、制御装置が、要求ファイルを解析し、家庭内機器の本体を制御することにより、家庭内機器は要求ファイルにより要求された処理を実行する請求項７から１１のいずれか１項に記載の家庭内機器に対する遠隔制御システムであることを特徴とするものである。
【００２５】
請求項１３記載の発明によれば、家庭内機器に対する遠隔制御システムは、家庭内機器は、操作端末により要求された処理を実行した後に、操作端末に処理の結果を送信する請求項１から１２のいずれか１項に記載の家庭内機器に対する遠隔制御システムであることを特徴とするものである。
【００２６】
【発明の実施の形態】
次に、添付図面を参照して、本発明による家庭内機器に対する遠隔制御システムの実施の形態を詳細に説明する。
【００２７】
本発明は、利用者が家庭内における電気製品や設備に対して、携帯電話やＰＨＳなどの操作端末を用いて遠隔操作をする方法を提供するものである。
具体的には、本発明は、インターネット技術を用いて、利用者が操作する端末装置から家庭に制御命令（要求ファイル）を送信して、家庭内の電気製品や設備に対して操作を行うことを特徴とする。
【００２８】
まず、図１〜図３を用いて、本発明による家庭内機器に対する遠隔制御システムの一実施形態の構成について説明する。
【００２９】
図１には、本発明による家庭内機器に対する遠隔制御システムの一実施形態の構成例が示されている。
【００３０】
家庭内機器に対する遠隔制御システム１００は、操作端末１−ｎ（ｎ＝１，２，３・・・Ｎ：以下同様）と、インターネット２と、送電線３と、電柱３０と、配電線（引き込み線）４０と、家庭４−ｎ（ｎ＝１，２，３・・・Ｎ：以下同様）と、から構成される。
【００３１】
本実施形態における操作端末１−ｎは、ユーザが使用する携帯電話、ＰＨＳ、ＰＤＡなどの携帯端末やパソコンである。そのような操作端末１−ｎと各家庭４−ｎをインターネット２等の通信ネットワークでつなぐ。ただし、本発明における操作端末は上記のものに限定されるものではない。
【００３２】
本実施形態における通信手段としては、低圧配電線方式によるインターネットアクセスを利用する。そのため、通信回線として送電線３及び／または配電線４０を用いる（電力線インターネット）。もっとも、本発明における通信手段は、かかる電力線インターネットに限定されるものではなく、電話線や光ファイバーを用いたインターネットをはもちろんのこと、イントラネット、ＬＡＮ等の他の通信ネットワークも広く含む。
【００３３】
また、送電線３に代えて、ＩＳＤＮ、ＡＤＳＬ等のｘＤＳＬ、光ファイバー等の回線や、無線通信手段を用いてもよい。
【００３４】
例えば、家庭４−１、４−２の前の道路に立っている電柱３０まで光ファイバーが来ている場合、ここから家庭４−１、４−２までの部分のみを電力線たる配電線４０でまかなうという構成が可能である。この場合、電柱３０の上には光ファイバーに接続された電力線モデムの親装置を設置し、家庭４−１、４−２に引き込まれている低圧配電線にデータ通信の信号を重畳することになる。
【００３５】
一方、室内では、後述するように、壁面にある通常の電源コンセントに家庭内機器の電源コードを電源プラグを介して接続する。そして、電源コード１  本で電力の供給とデータ通信とを、ともに行う。
【００３６】
図２には、本発明による家庭内機器に対する遠隔制御システムの一実施形態における各家庭内に置かれる家庭内機器の例が示されている。
【００３７】
本実施形態においける家庭４−１の内部には、家庭内機器として、エアコン５と、テレビ６と、ビデオ７と、照明器具８と、洗濯機９と、風呂１０と、窓１１とが設置されている。ただし、本発明における家庭内機器はそれらに限定されるものではない。例えば、ビデオ７の代わりに、ＤＶＤデッキを用いてもよい。
【００３８】
それぞれの家庭内機器には、グローバルなＩＰアドレス１２−ｎ（ｎ＝１，２，３・・・Ｎ：以下同様）（ホスト名）が割り当てられ、インターネット上で一意に識別できる。例えば、図２においては、エアコン５にはＩＰアドレス１２−１が、テレビ６にはＩＰアドレス１２−２が、ビデオ７にはＩＰアドレス１２−３が、照明器具８にはＩＰアドレスは１２−４が、洗濯機９にはＩＰアドレス１２−５が、風呂１０にはＩＰアドレス１２−６が、窓１１にはＩＰアドレス１２−７が、割り当てられている。
【００３９】
図３には、本発明による家庭内機器に対する遠隔制御システムの一実施形態における家庭内機器内部の構成例が示されている。
【００４０】
家庭内機器５〜１１は、それぞれ制御装置１３を内蔵している。制御装置１３は、操作端末１−ｎとの通信装置として、また、機器本体１５の制御装置として、動作する。
【００４１】
インターネットのインターフェイスおよび電力を得るために電源プラグ１４をコンセント２０につなぐ。コンセント２０は、前述した配電線（引き込み線）４０、送電線３、インターネット２へとつながっている。
【００４２】
次に、図４〜図６を用いて、本発明による家庭内機器に対する遠隔制御システムの一実施形態の動作について説明する。
【００４３】
本実施形態では、操作端末１−ｎと家庭内機器５〜１１との間の通信に公開鍵暗号方式とパスワードを採用して、データの改ざんや、なりすましを防止する。よって、まず、本実施形態の準備処理として、公開鍵と秘密鍵、およびパスワードについて説明する。
【００４４】
公開鍵暗号方式とは、互いに異なり、一方から他方を推測することが極めて困難な、暗号化のための鍵と復号のための鍵の組による暗号処理をいう。暗号化のための鍵は公開されるので、公開鍵と呼び、復号のための鍵を秘密鍵と呼ぶ。そして、公開鍵で暗号化した情報は、秘密鍵でしか復号できないという性質を持つ。
【００４５】
本実施形態においては、かかる公開鍵暗号方式を採用する。
具体的には、操作端末１−ｎ側に家庭内機器５〜１１の公開鍵、家庭内機器５〜１１側に秘密鍵を要求する。
【００４６】
すなわち、家庭内機器５〜１１には、あらかじめその家庭内機器のみに対応した秘密鍵を設定しておく。また、その秘密鍵に対応した公開鍵を認証局に登録しておく。
【００４７】
そして、操作端末１−ｎは、家庭内機器５〜１１に対して初めて処理要求する時は、対応する家庭内機器の公開鍵を認証局から取得する。一回取得すれば、操作端末内で公開鍵を保持しておくことにより、その後の処理要求の度に公開鍵を取得する必要はない。
【００４８】
このような公開鍵暗号方式によると、通信相手に知らせる鍵としてインターネット上でもやりとりできる。また、だれでもこの公開鍵で暗号文を作成でき、鍵を公開している人に送ることができる。さらには、相手の数に関係なく公開鍵は１つでよい。よって、鍵の管理及び共有が容易である。
【００４９】
したがって、本実施例においても、家族等家庭内機器を遠隔操作する可能性のある者誰もが公開鍵を参照できるようにすることもでき、便利である。
【００５０】
他方、こうして暗号化されたデータを復号化するには、暗号化に使われた公開鍵に対応する厳重に管理された秘密鍵が必要である。このため秘密鍵を持たない第三者にデータが傍受されたとしても、データを復号化されることはない。
【００５１】
したがって、ユーザは、部外者がネットワークへ進入しても、情報の秘匿性を確保できるので、安心して本システムを利用できる。
【００５２】
パスワードは、家庭内機器５〜１１で設定する。すなわち、家庭内機器５〜１１でパスワード設定画面からパスワードを設定する。
【００５３】
このようにパスワードを要求することで、部外者に対する情報の秘匿性をさらに強く確保できるので、ユーザは安心して本システムを利用できる。
【００５４】
図４には、本発明による家庭内機器に対する遠隔制御システムの一実施形態における処理要求の概略が示されている。
【００５５】
利用者は操作端末１−ｎを用いて家庭内機器５〜１１に対する要求処理の内容を定義した要求ファイル１６を作成する。
【００５６】
図５には、本実施形態における要求ファイルの例があげられている。
そこには、家庭内機器ＩＰアドレスと、操作端末ＩＰアドレスと、パスワードと、対象機器と、要求操作と、種類と、設定温度と、風量と、タイマー設定とが示されている。
また、対象機器としては「エアコン」が、要求操作としては「起動」が、種類としては「冷房」が、設定温度としては「２７度」が、風量としては「弱」が、タイマー設定としては「なし」が、示されている。
要求ファイルにはこのようなテキスト形式が用いられる。
【００５７】
図４において、ユーザは操作端末１−ｎの入力画面にて、要求する処理、パスワードを入力する。操作端末１−ｎは入力された処理とパスワードを要求ファイルに書き込む。
【００５８】
次いで、作成された要求ファイルを受信側の公開鍵で暗号化する。暗号化されたものを家庭内機器５〜１１に送信する。
【００５９】
その後、受信した家庭内機器５〜１１（制御装置１５）は、受信側の秘密鍵で暗号化されたものを復号化する。そして、受信したパスワードを用いて送信者の認証を行い、適切であれば要求ファイルに基づいた処理を行う。
【００６０】
次に、本発明による家庭内機器に対する遠隔制御システムの一実施形態における処理実行と結果送信とについて説明する。
【００６１】
図６には、本発明による家庭内機器に対する遠隔制御システムの一実施形態における処理実行と結果送信との概略が示されている。
【００６２】
家庭内機器５〜１１は、その内部に設置された制御装置１３が、受信した要求ファイルを解析し、本体１５を制御することによって、利用者の要求に基づいた処理を実行する。
【００６３】
表１に、本発明による家庭内機器に対する遠隔制御システムの一実施形態において家庭内機器が実行する処理内容の例を示す。
【００６４】
【表１】
2004236215.tif 000003
【００６５】
表１においては、エアコン５の処理内容として「起動」と、「停止」と、「種類変更」と、「温度調節」と、「風量」と、「タイマー予約」と、「現状調査」とが、テレビ６の処理内容として「起動」と、「停止」と、「タイマー予約」と、「現状調査」とが、ビデオ７の処理内容として「起動」と、「停止」と、「録画」と、「録画予約」と、「現状調査」とが、照明器具８の処理内容として「点灯」と、「消灯」と、「現状調査」とが、洗濯機９の処理内容として「起動」と、「停止」と、「タイマー予約」と、「現状調査」とが、風呂１０の処理内容として「起動」と、「停止」と、「タイマー予約」と、「水量」と、「風量」と、「温度」と、「現状調査」とが、窓１１の処理内容として「開ける」と、「閉める」と、「現状調査」とが、あげられている。
【００６６】
ただし、本発明における処理内容は、表１に示されたものに限定されるものではなく、種々の家庭内機器の諸動作を広く含む。
なお、表１中の「現状調査」とは、各家庭内機器の現状を調べる時に行うものである。家庭内機器の現状とは、例えば、エアコン５が、現在「起動」（作動）しているのか、「停止」しているのか、「種類」は冷房に設定されているのか、暖房に設定されているのか、「温度」は何度に設定されているのか、「風量」は強か弱か、「タイマー予約」はすでになされているのかということである。
【００６７】
最後に、本発明による家庭内機器に対する遠隔制御システムの一実施形態における結果送信について説明する。
【００６８】
家庭内機器５〜１１は、前述の要求ファイルに基づいた処理を行い、利用者の操作端末１−ｎに処理結果を送信する。
【００６９】
操作端末１−ｎは、要求ファイル内の発信元ＩＰアドレスにより一意に識別できる。操作端末１−ｎは、受信した処理結果を表示する。処理結果とは、正常終了、異常終了、現状調査に対する現状結果等である。
【００７０】
例えば、操作端末１−ｎからエアコン５に対して「起動」、「停止」、「種類変更」、「温度調節」、「風量」、「タイマー予約」、「現状調査」のうちの１つ又は複数の処理が要求された場合に、それらが正常に行われたのか、それとも正常に行われずにエラーとなったのかということや、エアコン５が、現在「起動」（作動）しているのか、「停止」しているのか、冷房に設定されているのか、暖房に設定されているのか、「温度」は何度に設定されているのか、「風量」は強か弱か、「タイマー予約」はすでになされているのか等が操作端末１−ｎのディスプレイに表示される。
【００７１】
【発明の効果】
本発明によれば、従来ならば家庭内にいなければ操作することができなかった家庭内機器に対し操作端末を用いて遠隔操作を行えるので、いつでも、どこでも操作ができ、ユーザにとって利便性がある。
【００７２】
また、本発明によれば、各家庭内機器１つ１つに制御装置が存在し、ネットワークでつながっているために、１つの家庭内機器に障害が発生した場合または１つの家庭内機器がコンセントが接続されていない場合においても、他の家庭内機器は影響を及ぼされない。よって、ユーザにとっての利便性は従来技術よりも向上する。
【００７３】
さらに、本発明によれば、サーバや特別なインターフェイス機器を用いずに、既存の設備を利用して、様々な端末から遠隔操作できる。
【００７４】
すなわち、請求項１から１３記載の発明によれば、家庭内機器専用の制御装置を利用できるので、サーバや余分な設定も不要とすることができる。
【００７５】
また、請求項５から１３記載の発明によれば、低圧配電線方式のインターネットを採用し、従来の電話線を用いたサーバ型システムとは異なりインターネットのインターフェイス機器としてコンセントを用いることができるので、既存の設備を利用して、ユーザに特別な装置を意識させることがない。
【００７６】
さらに、請求項８から１３記載の発明によれば、テキスト形式の要求ファイルが使用されるので、様々な端末から操作ができる。
【００７７】
請求項９から１３記載の発明によれば、公開鍵により、鍵の管理及び共有が容易である一方、秘密鍵により、第三者にデータが傍受されたとしても、データを復号化されることはなく、ユーザは、部外者がネットワークへ進入しても、情報の秘匿性を確保できるので、安心して本システムを利用できる。
【００７８】
また、請求項１０から１３記載の発明によれば、パスワードを要求することで、部外者に対する情報の秘匿性をさらに強く確保できるので、ユーザはさらに安心して本システムを利用できる。
【図面の簡単な説明】
【図１】本発明による家庭内機器に対する遠隔制御システムの一実施形態の構成図である。
【図２】本発明による家庭内機器に対する遠隔制御システムの一実施形態における各家庭内に置かれる家庭内機器の一例である。
【図３】本発明による家庭内機器に対する遠隔制御システムの一実施形態における家庭内機器内部の構成図である。
【図４】本発明による家庭内機器に対する遠隔制御システムの一実施形態における処理要求の概略図である。
【図５】本発明による家庭内機器に対する遠隔制御システムの一実施形態における要求ファイルの一例である。
【図６】本発明による家庭内機器に対する遠隔制御システムの一実施形態における処理実行及び結果送信の概略図である。
【符号の説明】
１−１、１−２、１−ｎ  操作端末
２  インターネット
３  送電線
４−１、４−２、４−ｎ  家庭
５  エアコン
６  テレビ
７  ビデオ
８  照明器具
９  洗濯機
１０  風呂
１１  窓
１３  制御装置
１４  電源プラグ
１５  機器本体
１６  要求ファイル
２０  コンセント
３０  電柱
４０  配電線（引き込み線）
【図１】
2004236215.tif 000004
【図２】
2004236215.tif 000005
【図３】
2004236215.tif 000006
【図４】
2004236215.tif 000007
【図５】
2004236215.tif 000008
【図６】
2004236215.tif 000009